(57)【要約】【課題】レジストの帯電やコンタミネーションの影響を受けることなく、ウエハ上に転写されたレジストパターンの検査を実現するための欠陥検査技術を提供する。【解決手段】ショット内の同一位置を重複して検査しないようにして複数のショットに検査エリアを設定し、複数のショットの検査結果をマージする機能を装置に搭載する。また、複数の電子線を同時に基板上に照射するマルチビーム方式の電子線検査装置に対しては、複数のビームによる検査領域間に十分な間隔を確保するようにして、複数のショットに検査エリアを分割する検査方法を装置に搭載する。【選択図】図３
2013128069.tif 000002
【特許請求の範囲】
【請求項１】
同形パターンを有する複数のショットを有する基板に電子線を照射して画像を取得し、前記基板を検査する電子線検査装置であって、
前記基板を移動させるステージと、
前記基板に電子線を照射する照射手段と、
前記電子線を前記基板に対して走査させる走査手段と、
前記基板からの電子を検出するための検出器と、
前記検出器からの信号を処理し、当該信号に対応する画像を生成する画像処理部と、
前記画像処理部によって生成された画像から検査結果を生成する制御部と、を備え、
前記制御部は、入力される検査エリア設定指示に応答して、前記１つのショット内において同一位置を重複して検査しないように、複数のショットに検査エリアを設定し、前記複数のショットの検査エリアについて得られる検査結果をマージすることで、１ショット内の欠陥マップを得ることを特徴とする電子線検査装置。
【請求項２】
請求項１において、
前記制御部は、前記検査エリア設定の対象となった複数のショットのそれぞれにおける前記検査エリアを、以前の電子線照射による影響を受けないように互いに十分な距離を確保しながら設定することを特徴とする電子線検査装置。
【請求項３】
請求項１において、
前記制御部は、設計データと前記生成された画像とを比較することにより前記ショット内の欠陥を検出することを特徴とする電子線検査装置。
【請求項４】
請求項１において、
前記制御部は、前記検査エリアの設定対象である前記複数のショットにおいて、各ショットからの検査結果をマージすると前記検査エリアの一部同士が重なるように前記検査エリアを設定し、前記複数のショットの検査結果から１ショット全体の検査結果を得ることを特徴とする電子線検査装置。
【請求項５】
請求項１において、
前記制御部は、検出された欠陥のショット内座標を、前記検査結果の１つの情報として出力することを特徴する電子線検査装置。
【請求項６】
請求項１において、
前記照射手段は、複数の電子線を同時に前記基板に照射する機能を有し、
前記検出器は、前記複数の電子線のそれぞれに対応して前記基板から発生する電子を分別して検出し、
前記画像処理部は、前記検出器からの複数の信号を同時に処理することを特徴とする電子線検査装置。
【請求項７】
請求項６において、
前記照射手段は、前記複数の電子線のそれぞれが互いに影響を受けないような距離を保って各電子線を照射し、前記複数の電子線によるそれぞれの走査範囲が重なりを持たないことを特徴とする電子線検査装置。
【請求項８】
請求項６において、
前記制御部は、入力される指示に応答して、前記複数の電子線の走査幅を任意に設定することを特徴とする電子線検査装置。
【請求項９】
請求項６において、
前記制御部は、さらに、１つのショットの同一位置について複数のショットから取得した画像を加算して前記検査結果を取得することを特徴とする電子線検査装置。
【請求項１０】
請求項９において、
前記制御部は、前記加算の対象である複数のショットから取得した複数の画像において、１つのショット内の同一位置の画像を加算するために、取得画像と設計データとの位置あわせを行うことを特徴とする電子線検査装置。
【請求項１１】
電子線検査装置を用いて、同形パターンを有する複数のショットを有する基板に電子線を照射して画像を取得し、前記基板を検査する検査方法であって、
前記電子線検査装置は、前記基板を移動させるステージと、前記基板に電子線を照射する照射手段と、前記電子線を前記基板に対して走査させる走査手段と、前記基板からの電子を検出するための検出器と、前記検出器からの信号を処理し、当該信号に対応する画像を生成する画像処理部と、前記画像処理部によって生成された画像から検査結果を生成する制御部と、を有し、
前記検査方法は、
前記制御部が、入力される検査エリア設定指示に応答して、前記１つのショット内において同一位置を重複して検査しないように、複数のショットに検査エリアを設定する工程と、
前記画像処理部が、前記複数のショットに設定された前記検査エリアの画像を取得する工程と、
前記制御部が、前記複数のショットの検査エリアについて得られる複数の画像をマージして検査結果を取得し、１ショット内の欠陥マップを得る工程と、
を有することを特徴とする検査方法。
【発明の詳細な説明】
【技術分野】
【０００１】
本発明は、電子線検査装置、及び、それを用いた検査方法に関し、例えば、半導体装置や液晶等微細な回路パターンを有する基板の欠陥検査技術に関するものである。
【背景技術】
【０００２】
例えば、半導体装置（半導体デバイス）は、半導体ウエハ上にフォトマスクに形成されたパターンをリソグラフィ処理及びエッチング処理により転写する工程を繰り返すことにより製造される。半導体装置の製造過程において、リソグラフィ処理やエッチング処理その他の良否、異物発生等は、半導体装置の歩留まりに大きく影響を及ぼす。したがって、このような製造過程における異常や不良発生を早期にあるいは事前に検知するために、製造過程で半導体ウエハ上のパターンの検査が行われている。
【０００３】
とりわけ、近年の半導体デバイス微細化の進行により、フォトマスクに形成されたパターンを光の波長以下のパターンとしてウエハ上に縮小して転写するため、リソグラフィ工程の難易度が増している。このように光の波長以下のパターンを転写する場合、フォトマスク上のパターンがそのまま縮小されるのではなく、光の回折効果等により、特にパターンエッジにおいてパターンの変形が生じる。パターンの変形はコンピュータシミュレーションを用いることによりある程度は予想可能である。しかし、実際に使用されるリソグラフィ装置に搭載されているレンズの光学特性は装置ごとに微妙に異なっており、パターンの変形はこの差に依存する度合いが大きい。このため、フォトマスクに形成されたパターンの検査のみならず、実際にウエハ上に転写されたパターンの検査が必要となっている。
【０００４】
ウエハ上に転写されたパターンを検査する場合、実際にリソグラフィ工程で露光されたレジストパターンを検査する方法と、レジストパターンを使ってエッチング処理などを施した後のパターンを検査する方法が考えられる。
【０００５】
ところが、エッチング処理後のパターンではエッチング工程の特性が含まれてしまうため、リソグラフィ工程の正確な評価が困難であり、レジストパターンでの検査が強く望まれている。
【０００６】
また、半導体ウエハ上のパターンに存在する欠陥を検査する方法としては、半導体ウエハに光を照射し、光学画像を用いてＬＳＩ上の同種の回路パターンを比較する光学式欠陥検査装置や、半導体ウエハに電子線等の荷電粒子線を照射し、発生する二次電子や反射電子の検出信号を画像化し、欠陥を検出する電子線検査装置が実用化されている。レジストパターンの検査においては、光の波長以下の微細なパターン異常を検出する必要性から、空間分解能にすぐれた電子線検査装置が用いられている。
【０００７】
電子線検査装置はＳＥＭ（走査型電子顕微鏡）画像の比較により欠陥検査を行う。ＳＥＭ像を取得する方法としては、ステージをステップ＆リピート移動させるとともに各ステージ停止位置にて電子線を２次元に走査して画像を取得する方法と、ステージを一定速度で一方向にスキャン移動させると同時に電子線をステージ移動方向と垂直方向に１次元走査しながら連続的に画像を取得する方法が存在するが、電子線式欠陥検査装置においてはスループットに優れた後者の方法が主に利用されている。
【０００８】
例えば、非特許文献１及び２、並びに、特許文献１乃至３には、電子線式欠陥検査装置において、通常のＳＥＭの100倍以上（１０ｎＡ以上）の電子線を導電性基板に照射し、発生する２次電子・反射電子・透過電子のいずれかを検出して、その信号から形成される画像を隣接する同一パターン間にて比較検査する方法が開示されている。
【０００９】
また、近年の微細な半導体デバイスを検査する場合には、従来よりも高倍率な画像での検査が必要であり、さらに、検査速度の向上が必要となっている。これを実現するために、例えば、特許文献４において、同一カラム内にて複数の電子ビームで同時に画像を取得できるマルチビーム型の電子線検査装置が提案されている。
【先行技術文献】
【特許文献】
【００１０】
【特許文献１】特開平５−２５８７０３号公報
【特許文献２】米国特許５５０２３０６号公報
【特許文献３】特開平１０−２９４５４３号公報
【特許文献４】特開２００７−３１７４６７号公報
【非特許文献】
【００１１】
【非特許文献１】J. Vac. Sci. Tech. B, Vol. 9, No.6, pp. 3005-3009 (1991)
【非特許文献２】J. Vac. Sci. Tech. B, Vol. 10, No.6, pp. 2804-2808 (1992)
【発明の概要】
【発明が解決しようとする課題】
【００１２】
しかしながら、マスクパターンに欠陥が存在した場合、そのマスクを用いて製造される全てのウエハにその欠陥が転写されてしまう。このため、マスク検査においては、基本的にはレジストに転写されるマスクパターン全てを検査する必要がある。ここで、あるショット内の全エリアを検査しようとした場合、個々の画像取得領域境界にて電子線を２度照射する領域がどうしても存在してしまい、該当領域において帯電やコンタミネーションの影響による擬似発生や感度低下が避けられない。よって、電子線を２度照射する領域を生じさせることなく、ショット全体を検査する手法が必要とされる。
【００１３】
また、電子線検査装置によってレジストパターンの画像を取得しようとする場合、レジストのコントラストが低いために画像を複数回加算してＳ／Ｎを上げる必要があるが、ビーム照射毎にレジストが帯電したり、レジストにコンタミネーションが付着したりするために、良好な画像が得られない場合がある。このため、レジストの帯電やコンタミネーションの影響を受けずに、Ｓ／Ｎの高い画像を取得する手法が必要とされている。
【００１４】
さらに、マルチビーム型の電子線式欠陥検査装置では、あるビームによるレジストの帯電やコンタミネーションが、別のビームで取得する画像に影響を及ぼす可能性があり、これを防止する必要がある。
【００１５】
本発明はこのような状況に鑑みてなされたものであり、レジストの帯電やコンタミネーションの影響を受けることなく、ウエハ上に転写されたレジストパターンの検査を実現するための欠陥検査技術を提供するものである。
【課題を解決するための手段】
【００１６】
上記課題を解決するために、本発明においては、ショット内の同一位置を重複して検査しないようにして複数のショットに検査エリアを設定し、複数のショットの検査結果をマージする機能を装置に搭載する。また、複数の電子線を同時に基板上に照射するマルチビーム方式の電子線検査装置に対しては、複数のビームによる検査領域間に十分な間隔を確保するようにして、複数のショットに検査エリアを分割する検査方法を装置に搭載する。
【００１７】
即ち、本発明による電子線検査装置は、同形パターンを有する複数のショットを有する基板に電子線を照射して画像を取得し、前記基板を検査する電子線検査装置であって、基板を移動させるステージと、基板に電子線を照射する照射手段と、電子線を前記基板に対して走査させる走査手段と、基板からの電子を検出するための検出器と、検出器からの信号を処理し、当該信号に対応する画像を生成する画像処理部と、画像処理部によって生成された画像から検査結果を生成する制御部と、を有する。ここで、制御部は、入力される検査エリア設定指示に応答して、１つのショット内において同一位置を重複して検査しないように、複数のショットに検査エリアを設定し、複数のショットの検査エリアについて得られる検査結果をマージすることで、１ショット内の欠陥マップを得る。
【００１８】
本発明に関連する更なる特徴は、本明細書の記述、添付図面から明らかになるものである。また、本発明の態様は、要素及び多様な要素の組み合わせ及び以降の詳細な記述と添付される特許請求の範囲の様態により達成され実現される。
【００１９】
本明細書の記述は典型的な例示に過ぎず、本発明の特許請求の範囲又は適用例を如何なる意味に於いても限定するものではないことを理解する必要がある。
【発明の効果】
【００２０】
本発明により、レジストの帯電やコンタミネーションの影響を受けることなく、ウエハ上に転写されたレジストパターンの検査を行うことが可能となる。
【図面の簡単な説明】
【００２１】
【図１】本発明の第１の実施形態による電子線検査装置の構成例を示す概略図である。
【図２Ａ】一般的な電子線検査装置の検査方法を説明するための図である。
【図２Ｂ】一般的な電子線検査装置の検査方法を説明するための図である。
【図３】本発明の第１の実施形態による電子線検査装置における検査方法を説明するための図である。
【図４】本発明の第１の実施形態による電子線検査装置における、ショット及びダイの座標構成例を示す図である。
【図５】本発明の第１の実施形態による電子線検査装置の検査ファイル形式を示す図である。
【図６】本発明の第１の実施形態による電子線検査装置における、検査手順を説明するための図である。
【図７Ａ】本発明の第１の実施形態による電子線検査装置のＧＵＩ例を示す図である。
【図７Ｂ】本発明の第１の実施形態による電子線検査装置のＧＵＩ例を示す図である。
【図７Ｃ】本発明の第１の実施形態による電子線検査装置のＧＵＩ例を示す図である。
【図８】本発明の第１の実施形態による電子線検査装置のＧＵＩ例を示す図である。
【図９】本発明の第２の実施形態による電子線検査装置の装置構成を示す概略図である。
【図１０】本発明の第２の実施形態による電子線検査装置における検査方法を説明するための図である。
【図１１】ウエハ表面の帯電の照射電子線に対する影響について説明するための図である。
【図１２】本発明の第２の実施形態による電子線検査装置における、検査手順を説明するための図である。
【図１３】本発明の第２の実施形態による電子線検査装置のＧＵＩ例を示す図である。
【図１４】本発明の第２の実施形態による電子線検査装置の検査条件設定について説明するための図である。
【図１５】本発明の第２の実施形態による電子線検査装置における検査方法を説明するための図である。
【図１６Ａ】本発明の第２の実施形態による電子線検査装置における検査方法を説明するための図である。
【図１６Ｂ】本発明の第２の実施形態による電子線検査装置における検査方法を説明するための図である。
【図１６Ｃ】本発明の第２の実施形態による電子線検査装置における検査方法を説明するための図である。
【図１７】本発明の第３の実施形態による電子線検査装置におけるＧＵＩ例を示す図である。
【図１８】本発明の第３の実施形態による電子線検査装置の検査条件設定について説明するための図である。
【図１９】本発明の第３の実施形態による電子線検査装置で実行される画像加算処理について説明するための図である。
【発明を実施するための形態】
【００２２】
本発明は、例えば、半導体装置製造過程途中の半導体ウエハに代表される基板上のパターンの欠陥検査技術に関するものである。
【００２３】
以下、添付図面を参照して本発明の実施形態について説明する。添付図面では、機能的に同じ要素は同じ番号で表示される場合もある。なお、添付図面は本発明の原理に則った具体的な実施形態と実装例を示しているが、これらは本発明の理解のためのものであり、決して本発明を限定的に解釈するために用いられるものではない。
【００２４】
本実施形態では、当業者が本発明を実施するのに十分詳細にその説明がなされているが、他の実装・形態も可能で、本発明の技術的思想の範囲と精神を逸脱することなく構成・構造の変更や多様な要素の置き換えが可能であることを理解する必要がある。従って、以降の記述をこれに限定して解釈してはならない。
【００２５】
更に、本発明の実施形態は、汎用コンピュータ上で稼動するソフトウェアで実装しても良いし専用ハードウェア又はソフトウェアとハードウェアの組み合わせで実装しても良い。
【００２６】
（１）第１の実施形態
＜電子線検査装置の構成＞
図１は、本発明の第１の実施形態による電子線検査装置の概略構成を示す図である。
【００２７】
図１に示されるように、電子線検査装置１００は、電子光学系であるカラム１と、ＸＹステージ２と、ビーム走査コントローラ１１と、ステージコントローラ１２と、画像処理ユニット（画像処理装置）１３と、ＣＡＤデータサーバ１４と、制御ＰＣ（制御装置）１５と、を有している。
【００２８】
カラム１は、照射電子９を発生させる電子銃３と、照射電子９をウエハ８に対して収束させて照射するためのコンデンサレンズ４と、対物レンズ５と、照射電子９をウエハ８に対して走査させるためのディフレクタ６と、ウエハ８からの２次電子１０を検出するための２次電子検出器７と、を有している。ディフレクタ６は、ビーム走査コントローラ１１からの信号に従って照射電子９をウエハ８に対して走査させる。
【００２９】
ＸＹステージ２は、ステージコントローラ１２からの信号に従ってカラム１に対してウエハ８を移動させることができるようになっている。
【００３０】
２次電子検出器７からの信号は、画像処理ユニット１３に供給される。画像処理ユニット１３は、２次電子検出器７からの信号を、ビーム走査コントローラ１１ならびにステージコントローラ１２からの位置情報とリンクさせることで画像取得位置の特定を行う。また、画像処理ユニット１３は、取得された画像とＣＡＤデータサーバ１４から送られる対応する位置の設計情報とを比較することにより、欠陥検出を実行する。
【００３１】
本発明の電子線検査装置１００では、制御ＰＣ１５により装置全体の動作が制御される。制御ＰＣ１５は、後述するＧＵＩを表示するための表示装置を含み、一般的なコンピュータの構成を有している。
【００３２】
＜一般的な検査方法＞
まず、電子線検査装置による、一般的な検査方法について図２Ａ及び２Ｂを参照しながら説明する。図２Ａにおいて、照射電子２１は、図示されていないディフレクタによりＹ方向に連続走査されながらウエハ２２に照射される。このとき、図示されていないステージによりウエハ２２を矢印２３のようにＸ方向に連続移動させることにより、照射電子２１が矢印２４で示される軌跡にてウエハ２２上に照射される。スキャンの振り始めではスキャン速度が安定しないため、矢印２５で示されるビームスキャン幅に対してスキャン安定化のための尤度をもって画像取得領域（スワス幅）２６を設定することになる。さらに、図２Ｂに示されるように、画像取得領域２６の両端に、帯電安定化と位置あわせのための領域２８を確保して検査エリア２７が設定される。ここで、１ショット全体を検査しようとした場合、領域２８を後のスワスにて検査エリアに設定しなくてはならず、領域２８において擬似発生や感度低下が起こる可能性があり、これを解消することが技術的な課題となっている。
【００３３】
＜改良された検査方法＞
このため、本発明の実施形態では、複数のショット（例えば、２つのショット）に検査領域を割り振ることで、帯電やコンタミネーションの影響を避けてショット全体の検査を行う。
【００３４】
図３に示されるように、ウエハ３１内には複数のショットが配置されており、その中のショット３２とショット３３に検査領域を分割する。そして、ショット３２と３３によって、１つのショット内の領域をカバーするようにしている。具体的には、ショット内座標で比較したとき、スワス３４aでの検査エリアの右端がスワス３５aの検査エリアの左端となり、さらにスワス３５aでの検査エリアの右端がスワス３５bの検査エリアの左端となるようにして２つのショット上に順次スワスを設定していくことで、ショット全体の検査を実行する。
【００３５】
スワスは、３４ａ→３５a→３４ｂ→３５ｂ→３４ｃ→３５ｃ→３４ｄ→３５ｄ→３４ｅ→３５ｅ→３４ｆ→３５ｆ→３４ｇ→３５ｇ→３４ｈ→３５ｈの順で電子線照射のエリアとして設定することで、ショット内を左から右方向に順に検査するようにする。
【００３６】
＜検査結果ファイル（例）＞
次に、図４及び５を参照して、電子線検査装置１００によって出力される検査結果ファイルの形式を説明する。ウエハ４１には多数のショットが配列されており、各ショットのショット座標（Ａｘ、Ａｙ）が原点４２を基準に定義される。ショットの左下コーナーが原点４２となるショットのショット座標は（０，０）であるので、図４におけるショット４３のショット座標は（０，−１）となる。
【００３７】
また、各ショットは複数のダイから構成されており、ショット内ダイ座標（Ｂｘ，Ｂｙ）によりダイがショット内のどの位置にあたるかが定義される。ショット内にて左下コーナーにあるダイのショット内ダイ座標を（０，０）とすると、図４におけるダイ４４のダイ座標は（１，１）である。
【００３８】
さらに、ダイ原点４５に対する欠陥４６の相対座標を（Ｃｘ，Ｃｙ）と定義する。このとき、ダイのサイズ（Ｄｘ，Ｄｙ）を用いて、ショット内座標（Ｎｘ，Ｎｙ）は以下の式１で計算される。
（Ｎｘ，Ｎｙ）＝（Ｂｘ＊Ｄｘ＋Ｃｘ，Ｂｙ＊Ｄｙ＋Ｃｙ）    （式１）
結果ファイル４７には、これらの欠陥座標情報に加えて、欠陥の分類情報ならびにサイズなどの欠陥特性情報が保存される。
【００３９】
＜レシピ作成＞
次に、図６及び図７Ａ乃至Ｃを用いてレシピ作成手順について説明する。図６は、レシピ作成手順を説明するためのフローチャートである。図７Ａ乃至Ｃは、レシピ作成時に用いられるＧＵＩの例を示す図である。
【００４０】
図７Ａ乃至Ｃに示されるように、ＧＵＩ６１上には、マップ表示エリア６２と画像表示エリア６３が配置されている。マップ表示エリア６２には、ウエハマップ選択ボタン６４ａと、ショットマップ選択ボタン６４ｂと、ダイマップ選択ボタン６４ｃとが設けられており、これらのボタン選択により、ウエハマップ表示とショットマップ表示とダイマップ表示の切替えが可能となっている。図７Ａではダイマップが選択された状態が示されており、ダイマップ選択ボタン６４ｃがハイライト表示となっている。
【００４１】
マップ表示エリア６２には、矢印ボタン６８ａとポイントボタン６８ｂが設けられており、これらのボタンの選択により、領域選択モードと移動モードの切替えを行うことができるようになっている。矢印ボタン６８ａを押して領域選択モードとした状態でマップ表示エリア６２中をクリックすると、クリックされた部分の検査エリアが選択される。また、ポイントボタン６８ｂを押して移動モードとした状態でマップ表示エリア６２中をクリックすると、クリックされた部分に対応する位置のＣＡＤデータまたは画像が画像表示エリア６３に表示される。
【００４２】
画像表示エリア６３には、ＣＡＤ選択ボタン６５ａと光学顕微鏡画像選択ボタン６５ｂとＳＥＭ画像選択ボタン６５ｃが設けられており、これらのボタンの選択により、ＣＡＤデータと光学顕微鏡像とＳＥＭ像とを切替えて表示させることができるようになっている。また、表示倍率変更ボタン６６により表示倍率を変更することができるようになっている。ＣＡＤデータ選択時には、スライドバー６７が有効となり、ＣＡＤデータの表示エリアを自由に変更できる。また、ＳＥＭ画像選択時は、ＧＵＩの別画面で設定するレシピ条件を反映した条件で画像を取得する。図７ＡではＣＡＤデータ表示が選択された状態がしめされており、ＣＡＤ選択ボタン６５ｃがハイライト表示されている。
【００４３】
（i）検査エリア設定ステップ５２
検査エリア設定ステップ５２においては、ＧＵＩ６１上で以下の手順が行われる。
まず、図７Ａの示すように、ユーザがＧＵＩ６１を用いてダイマップ選択ボタン６４ｃと、ＣＡＤ選択ボタン６５ａと、ポイントボタン６８ｂを選択し、制御ＰＣ１５はそれら選択されたボタンをハイライト表示の状態にする。この状態で、ユーザが、検査エリア７４の左下エリアをクリックすると、制御ＰＣ１５は、画像表示エリア６３に検査エリア左下コーナー７４ａ付近のＣＡＤデータを表示させる。そして、画像表示エリア６３において、ユーザが検査エリア左下コーナー７４ａに対応する位置７４ｃをクリックすると、制御ＰＣ１５は、検査エリア左下コーナー７４ａの位置情報を登録する。
【００４４】
次に、画像表示エリア６３において、ユーザが検査エリア右上コーナー７４ｂに対応する位置をクリックすると、制御ＰＣは、検査エリア右上コーナー７４ｂの位置情報を登録する。これにより検査エリア７４のサイズが確定される。このとき、必要によりスライドバー６７と表示倍率変更ボタン６６を使用して、所望の位置のＣＡＤデータを表示させるようにする。
【００４５】
（ii）検査条件選択ステップ５３
次に、検査画素サイズなどの検査条件選択ステップ５３が実行される。検査条件の選択の処理は、ユーザがＧＵＩ６１上の検査条件設定ボタン６９をクリックすることで表示される別ウインドウ上において実行される。
【００４６】
（iii）検査ショット選択ステップ５４
検査ショット選択ステップ５４は、図７Ｂに示されるように、ウエハマップ選択ボタン６４ａによりマップ表示エリア６２にウエハマップを表示させた状態で行われる。ユーザは、矢印ボタン６８ａを押して領域選択モードとし、マップ表示エリア６２中のショット７５ａをクリックすることで、ショット７５ａを検査ショットとして選択する。この選択処理に応答して、制御ＰＣ１５は、検査ショットとして選択されたショットをウエハマップ上でハイライト表示する。同様にして、ショット７５ｂをクリックすることで、ショット７５ｂが検査ショットとして選択される。
【００４７】
（iv）検査時間計算ステップ５５
検査時間計算ステップ５５は、検査エリアと検査条件と検査ショットの選択がなされた状態で、ユーザが検査時間計算ボタン７０をクリックすることで実行される。検査時間計算ステップ５５では、各々の検査ショットへの検査スワスの割り振りと、予想検査時間の計算が行われ、予想検査時間が表示領域７１に表示される。なお、検査時間は、スワス一本当りの走査に掛かる時間（１つの画素を取得する時間×スワスの画素数）とスワス本数を乗算することにより推定される。なお、Ｓ／Ｎを向上させるために同一スワスに電子線を複数回照射して加算する場合には、当該加算回数によって検査時間は変化する。
【００４８】
ここで、各ショットの検査スワスは以下の手順で確認される。図７Ｃに示されるように、ユーザがショットマップ選択ボタン６４ｂを選択すると、制御ＰＣ１５は、マップ表示エリア６２にショットマップを表示させる。この状態で、ユーザがスワス表示ボタン７２ａをクリックすると、制御ＰＣ１５は、ショットマップ上に検査で実行されるスワス７６ａ〜７６ｈを表示させる。そして、ユーザが表示ショット変更ボタン７２ｂにより、マップ表示エリア６２に表示させる検査ショットを変更することで、各々の検査ショットにおいて検査で実行されるスワスを順次確認ことができるようになっている。このとき、選択されている検査ショット数とマップ表示エリア６２に現在表示されているショットは、表示エリア７２ｃに表示される。図７Ｃは、Ｎが検査ショット数、Ｍが表示されているショットを示している。
【００４９】
なお、検査時間や検査スワス配分の変更が必要な場合は、検査条件選択ステップ５３や検査ショット選択ステップ５４において必要な変更を行った後、再度検査時間計算ステップ５５が実行される。
【００５０】
（v）検査ステップ５６
一方、検査時間や各々の検査ショットへの検査スワス配分に問題がなければ、検査実行ボタン７３をクリックして検査ステップ５６を開始する。
【００５１】
（vi）結果確認ステップ５７
検査が終了したら、ユーザが結果確認ボタン７７を押すと、それに応答して制御ＰＣ１５は、レビュー用のＧＵＩ８１（図８参照）に表示を切り替える。
【００５２】
図８に示されるレビュー用のＧＵＩ８１は、ウエハもしくはショット上の欠陥位置を表示するためのマップ表示エリア６２と、欠陥情報を表示する欠陥情報表示エリア８３と、欠陥画像を表示するための画像表示エリア８６とを有している。
【００５３】
欠陥情報表示エリア８３には、表示させる欠陥情報をスクロールさせるためのスクロールバー８５がある。また、矢印ボタン６８ａが選択された状態で、マップ表示エリア６２内の欠陥８２をクリックすると、画像表示エリア８６に該当する欠陥画像が表示されるとともに、欠陥情報表示エリア８３にて該当する欠陥情報８４がハイライト表示される。
【００５４】
画像表示エリア８６には、欠陥画像８７ａ、参照画像８７ｂ、及び差画像８７ｃが表示される。ここで、欠陥画像８７ａは検査時に取得したＳＥＭ画像であり、参照画像８７ｂは欠陥画像８７ａに対応する位置のＣＡＤデータである。また、差画像８７ｃは、欠陥画像８７ａと参照画像８７ｂの差分の絶対値をグレースケール表示したものである。ここで、検査にて検出された欠陥画像は、画像処理ユニット１３内のメモリに保存されており、結果確認においては、制御ＰＣ１５が当該欠陥の画像をメモリから読み出すことにより表示画面上に表示する。
【００５５】
結果確認作業が終了したら、ユーザが結果確認終了ボタン８８を押し、検査用のＧＵＩ６１に戻り、必要に応じて次の検査を行う。
【００５６】
（２）第２の実施形態
第２の実施形態は、マルチビーム型電子線式欠陥検査装置におけるレジストパターン検査に関するものである。
【００５７】
＜検査装置の構成＞
図９は、本発明の第２の実施形態によるマルチビーム型電子線式欠陥検査装置の概略構成を示す図である。マルチビーム型電子線式欠陥検査装置２００は、第１の実施形態同様、電子光学系であるカラム１と、ＸＹステージ２と、ビーム走査コントローラ１１と、ステージコントローラ１２と、画像処理ユニット１３と、ＣＡＤデータサーバ１４と、制御ＰＣ１５と、を有している。
【００５８】
ＸＹステージ２は、ステージコントローラ１２からの信号に従ってカラム１に対してウエハ８を移動させる。カラム１は、照射電子９を発生させる電子銃３と、照射電子９をウエハ８に対して収束させて照射するためのコンデンサレンズ４と、対物レンズ５と、照射電子９をウエハ８に対して走査させるディフレクタ６と、照射電子９を複数のビームに分割するためのアパーチャアレイ１６と、ウエハ８からの複数の照射電子線に対応する２次電子１０を検出するための分割検出器１８と、ウエハからの２次電子１０を複数のエリアに分割された分割検出器１８の方向に曲げるためのＥｘＢフィルタ１７と、を有している。ディフレクタ６は、ビーム走査コントローラ１１からの信号に従って照射電子９をウエハ８に対して走査させる。また、複数に分割された各々のビームにより発生した２次電子は、分割検出器１８上の異なるエリアにて検出され、それぞれが独立した信号として画像処理ユニット１３に送られる。なお、アパーチャアレイ１６の形状を変えることにより、マルチビームの構成を変えることができるようになっている。本実施形態では、各アパーチャ間の距離は等距離であり、各アパーチャを結ぶと正三角形となるようなアパーチャアレイを用いている。アパーチャアレイ１６を構成する各アパーチャは、照射電子９の照射範囲（例えば円形状）に含まれ、隣り合うアパーチャ間の距離が等しくなる様に設定するのが望ましい。
【００５９】
画像処理ユニット１３では、ビームコントローラ１１ならびにステージコントローラ１２からの位置情報とリンクさせることで画像取得位置の特定を行い、取得された画像とＣＡＤデータサーバ１４から送られる対応する位置の設計情報との比較による欠陥検出が複数の検出信号に対して並列で実行される。なお、当該マルチビーム型電子線式欠陥検査装置２００おいても、第１の実施形態同様、制御ＰＣ１５により装置全体の動作が制御される。
【００６０】
＜画像取得方法＞
図１０は、マルチビーム型電子線式欠陥検査装置２００による画像取得方法を説明するための図である。図１０に示されていないＸＹステージ２によりウエハが矢印９１方向に移動する。このときのウエハ上に照射される各々の電子線９２ａ、９２ｂ、９２ｃの軌跡は、それぞれ矢印９３ａ、９３ｂ、９３ｃで表される。各々のビームの走査幅に対してスキャン安定化のための尤度をもって、画像取得領域（スワス幅）９４ａ、９４ｂ、９４ｃを設定する。さらに、画像取得領域９４ａ、９４ｂ、９４ｃのそれぞれの両端に、帯電安定化と位置あわせのための領域を確保して検査エリア９５ａ、９５ｂ、９５ｃが設定される。
【００６１】
図１０に示されるように、マルチビーム型電子線式を用いて、ステージが矢印９１の方向に移動する場合、１度で複数のスワスについて走査することができるが、電子線９２ｂが照射されたエリアの近傍に、少し遅れて電子線９２ａが照射されることになるため、画像取得領域９４ａの画像は、電子線９２ｂの照射による影響を受けることが懸念される。
【００６２】
ここで、図１１を参照しながら、ビーム（電子線）照射エリアの近傍に、少し遅れてビームが照射された場合の影響について説明する。
【００６３】
図１１において、ウエハ１０１上のビーム照射エリア１０２では、表面付近にウエハ表面の材質や照射電子線の条件に依存した帯電が形成される。また、帯電はビームが照射されたエリアの近傍エリア１０３にも拡散していく。第２の実施形態のマルチビーム型電子線式欠陥検査装置２００では、図示していない電極により、電子を引き上げる方向でウエハ上に電場が形成されている。ウエハ上の帯電が均一であれば、等電位線１０４はウエハ１０１と平行な直線となるが、ウエハ１０１表面に不均一な帯電が存在する場合には、等電位線１０４は帯電が不均一な部分で曲がった形になる。帯電が均一な部分に照射された電子線１０５ａは、横方向の力を受けないため垂直にウエハ表面に照射される。しかしながら、帯電が不均一な部分に照射された電子線１０５ｂは、横方向の電界により曲げられることになり、画像の歪や位置ずれを引き起こす。
【００６４】
このような事態を引き起こしては、マルチビームを採用した場合において、レジストの帯電やコンタミネーションの影響を受けることなくウエハ上のレジストパターンの欠陥検査を行うという本発明の目的が達成することができない。そこで、マルチビームにおいて画像の歪や位置ずれの発生を回避するために、各スワスが重ならないように、スワス幅を設定する必要がある。
【００６５】
＜レシピ作成＞
次に、図１２及び１３を参照して、第２の実施形態におけるレシピ作成手順について説明する。図１２は、レシピ作成手順を説明するためのフローチャートである。図１３は、検査条件設定用のＧＵＩの構成例を示す図である。
【００６６】
（i）レシピ作成開始ステップ１１１
制御ＰＣ１５は、ユーザのレシピ作成開始要求に応答して、検査条件設定用ＧＵＩ６１を表示画面上に表示させる。
【００６７】
図１３に示されるように、ＧＵＩ６１上には、マップ表示エリア６２と画像表示エリア６３が配置されている。マップ表示エリア６２には、ウエハマップ選択ボタン６４ａとショットマップ選択ボタン６４ｂにより、ウエハマップ表示とショットマップ表示とを切替え可能である。図１３においては、ウエハマップが選択された状態が示されて降り、ウエハマップ選択ボタン６４ａがハイライト表示となっている。
【００６８】
画像表示エリア６３には、ＣＡＤ選択ボタン６５ａと、光学顕微鏡画像選択ボタン６５ｂと、ＳＥＭ画像選択ボタン６５ｃが配置され、これらにより、ＣＡＤデータと光学顕微鏡像とＳＥＭ像とを切り替えて表示させることができ、表示倍率を表示倍率変更ボタン６６により変更することができるようになっている。ＣＡＤデータ選択時には、スライドバー６７が有効となり、ＣＡＤデータの表示エリアを自由に変更できる。また、ＳＥＭ画像選択時は、ＧＵＩの別画面で設定するレシピ条件を反映した条件で画像を取得する。図１３においては、ＣＡＤデータ表示が選択された状態が示されており、ＣＡＤ選択ボタン６５ａがハイライト表示されている。
【００６９】
マップ表示エリア６２には、矢印ボタン６８ａとポイントボタン６８ｂが配置され、領域選択モードと移動モードの切替えを行うことができるようになっている。ウエハマップが表示されている場合、矢印ボタン６８ａを押して領域選択モードとした状態でマップ表示エリア６２中をクリックすると、クリックされたショットが検査ショットに設定される。また、ポイントボタン６８ｂを押して移動モードとした状態でマップ表示エリア６２中をクリックすると、クリックされた部分に対応する位置のＣＡＤデータまたは画像が画像表示エリア６３に表示される。
【００７０】
（ii）検査条件選択ステップ１１２
ユーザがＧＵＩ６１上の検査条件設定ボタン６９をクリックすると、制御ＰＣ１５は、それに応答して、検査条件設定ウインドウ１２１を表示させる。ユーザは、検査条件設定ウインドウ１２１（図１４）に示される情報の検査条件を入力することにより、検査条件選択ステップ１１２の処理が実行される。具体的には、図１４に示されるように、検査条件設定ウインドウ１２１では、検査条件として、画素サイズ１２２ａと画像加算数１２２ｂとスワス分割数１２２ｃとを設定するようになっている。検査条件が設定されると、制御ＰＣ１５は、装置パラメータとして決まっているビーム本数１２２ｄから、必要となるビーム走査幅１２２ｅを計算する。
【００７１】
（iii）検査ショット選択ステップ１１３
マップ表示エリア６２をウエハマップ表示とし、ポイントボタン６８ｂを選択した状態で、ユーザがウエハマップ内のショットをクリックして検査ショットを選択すると、制御ＰＣ１５は、当該選択されたショットを検査対象のショットとする。ここで、検査ショットは、検査条件設定ウインドウ１２１にてスワス分割数１２２ｃに設定した数と同数とする。第２の実施形態においては、スワス分割数を３としているので、ウエハマップにて３つのショット（１１６ａ、１１６ｂ、１１６ｃ）を検査ショットとして選択している。
【００７２】
（iv）検査時間計算ステップ１１４
検査ショットが選択された状態で、ユーザが検査時間計算ボタン７０をクリックすると、制御ＰＣ１５は、スワスの割り当てと検査時間を計算する。第１の実施形態と同様に、検査時間は、スワス一本当りの走査に掛かる時間（ビームの走査時間×スワスのビーム走査回数）とスワス本数を乗算することにより推定される。なお、Ｓ／Ｎを向上させるために同一スワスに電子線を複数回照射して加算する場合には、当該加算回数によって検査時間は変化する。
【００７３】
（v）確認ステップ１１５
ユーザがスワスの割り当ての確認要求を入力すると、制御ＰＣ１５は、マップ表示エリア６２をショットマップ表示にする。ショットマップ表示の状態で、スワス表示ボタン１１７が押されると、制御ＰＣ１５は、図１５に示すように、スワスをショットマップに重ねて表示する。第２の実施形態においては、スクライブラインを除いたショット１３１全体を検査するのに、１２本のスワス（１３２ａ〜１３２ｌ）が検査される。
【００７４】
ここで、各スワス（１３２ａ〜１３２l）は、３つのショット（１１６ａ、１１６ｂ、１１６ｃ）に分割されて実行されるが、次に分割方法を図１６Ａ、図１６Ｂ、図１６Ｃによりスワス１３２ａを例に説明する。
【００７５】
図１６Ａは、スワス１３２ａのショット１１６ａにおける検査エリアを示している。検査エリア１３３ａ、１３３ｂ、１３３ｃは、３本の電子線９２ａ、９２ｂ、９２ｃのそれぞれに対応する検査されエリアを示している。同様に、図１６Ｂに示される検査エリア１３４ａ、１３４ｂ、１３４ｃは、ショット１１６ｂにおいて、３本の電子線９２ａ、９２ｂ、９２ｃのそれぞれにより検査されるエリアを示している。さらに、図１６Ｃに示される検査エリア１３５ａ、１３５ｂ、１３５ｃは、ショット１１６ｃにおいて、３本の電子線９２ａ、９２ｂ、９２ｃのそれぞれにより検査されるエリアを示している。ここで、検査エリア１３３ａ、１３３ｂ、１３３ｃ、１３４ａ、１３４ｂ、１３４ｃ、１３５ａ、１３５ｂ、１３５ｃを合わせると、スワス１３２ａのエリア全てがカバーされることになる。
【００７６】
なお、図１６Ａ、図１６Ｂ、図１６Ｃに示されるような各検査ショットでの検査エリアの確認は、マップ表示エリア６２にてショットマップを拡大表示し、表示ショット変更ボタン７２ｂで表示ショットを切り替えることで実現することができる。
【００７７】
（３）第３の実施形態
第３の実施形態は、複数のショットにおいて対応する同一の位置（スワス）から取得した画像を加算することにより、Ｓ／Ｎを改善する方法に関するものである。
【００７８】
第３の実施形態においてもマルチビーム型電子線式欠陥検査装置を採用するが、当該装置の構成は、第２の実施形態と同一である。また、レシピ作成の手順は、図１２に示す第２の実施形態の手順と同様である。以下、図１７及び１８により、第３の実施形態におけるレシピ作成方法を、第２の実施形態のそれとの違いを中心に説明する。
【００７９】
＜レシピ作成方法＞
ＧＵＩ６１上の検査条件設定ボタン６９をクリックして、検査条件設定ウインドウ１５１と表示させ、画素サイズ１５２ａ、画像加算数１５２ｂ、画像加算ショット数１５２ｃ、スワス分割数１５２ｄを設定する。ここで、画像加算数１５２ｂは各画像取得位置での画像加算数であり、画像加算ショット数１５２ｃは、ショット内同一位置の画像をいくつのショットにて取得するかを示している。ビーム本数１５２ｅは装置定数である。ビーム走査幅１５２ｆは、画素サイズ１５２ａ、スワス分割数１５２ｄ、ビーム本数１５２ｅと、装置定数として装置が保持しているビーム間隔とから自動的に計算される。
【００８０】
＜検査ショットの設定＞
次に、検査ショットの設定について説明する。ＧＵＩ６１において、ユーザがウエハマップ選択ボタン６４ａをクリックすると、制御ＰＣ１５は、マップ表示エリア６２にウエハマップを表示させる。そして、ユーザは、ボタン１４３により、どのスワス分割位置に対して検査ショットを設定するかを選択する。選択状態は、表示エリア１４４に表示されるが、表示エリア１４４において、Ｍは検査条件設定ウインドウ１５１で設定されるスワス分割数（全スワス数）を、Ｎは現在選択されているスワス分割位置（何番目のスワスであるか）をそれぞれ示している。ユーザは、ボタン１４３によりＮ＝１とした状態において、ウエハマップ上のショット１４１ａ、ショット１４１ｂ、ショット１４１ｃを順次クリックすることにより、それに応答して、制御ＰＣ１５は、１番目のスワス分割位置に対する検査ショットを設定する。ここで、検査ショットとして設定するショット数は、画像加算ショット数１５２ｃによって設定された数と同数とする。同様にして、ボタン１４２によりＮ＝２とした状態にて、ウエハマップ上のショット１４２ａ、ショット１４２ｂ、ショット１４２ｃを順次クリックすることにより、それに応答して、制御ＰＣ１５は、１番目のスワス分割位置に対する検査ショットを設定する。
【００８１】
＜画像の加算処理＞
次に、図１９を参照して、複数ショットで取得した画像を加算する手順について説明する。
図１９に示されるように、ウエハ１６１上の検査エリア１６２は３つのショットを含むように設定される。ここで、位置１６３ａ、位置１６３ｂ、位置１６３ｃはショット内の同一位置である。画像１６４ａ、画像１６４ｂ、画像１６４ｃは、それぞれ位置１６３ａ、位置１６３ｂ、位置１６３ｃにて取得された画像であるが、装置が持つ様々な誤差要因のため、ショット上での画像取得位置に誤差が生じる場合がある。このため、設計データから作成するテンプレート画像１６５との画像マッチングにより、位置の補正を行う。画像範囲１６６ａは、画像１６４ａにおいてテンプレート画像１６５に対応する位置であり、画像範囲１６６ａが中央になるように補正を行い、位置補正画像１６７ａが作成される。
【００８２】
同様にして、画像範囲１６６ｂが中央になるように画像１６４ｂの位置補正画像１６７ｂが作成される。また、画像範囲１６６ｃが中央になるように画像１６４ｃの位置補正画像１６７ｃが作成される。その後、３枚の位置補正画像を加算して、加算画像１６８を作成し、設定データとの比較による欠陥抽出を行う。
【００８３】
（４）まとめ
本発明では、ユーザが入力する検査エリア設定指示に応答して、制御ＰＣが、１つのショット内において同一位置を重複して検査しないように、複数のショットに検査エリアを設定する（図３或いは１６参照）。そして、制御ＰＣが、複数のショットの検査エリアについて得られる検査結果をマージすることで、１ショット内の欠陥マップ（図８参照）を得るようにする。このようにすることにより、同一レジストパターンの複数のショットを有する基板において、レジストの帯電やコンタミネーションの影響を受けることなく、ウエハ上に転写されたレジストパターンを検査することができるようになる。
【００８４】
本発明においては、上述のように、１つのショットだけで１ショット全体の検査結果を取得するのではなく、複数のショットに亘って検査エリアを設定する。また、１つのショットにおいての検査エリアは重なりが生じないように設定される。つまり、制御ＰＣは、検査エリア設定の対象となった複数のショットのそれぞれにおける検査エリアを、以前の電子線照射による影響を受けないように互いに十分な距離を確保しながら設定する。このようにすることにより、レジストの帯電やコンタミネーションによる影響を確実に回避することが可能となる。
【００８５】
また、制御ＰＣは、設計データと生成された画像とを比較することによりショット内の欠陥マップを提供する。さらに、制御ＰＣは、検出された欠陥のショット内座標を、検査結果の１つの情報として出力する。このようにすることにより、欠陥の位置や程度を容易に評価することが可能となる。
【００８６】
さらに、制御ＰＣは、検査エリア設定対象である複数のショットにおいて、各ショットからの検査結果をマージすると検査エリアの一部同士が重なるように検査エリアを設定し、複数ショットの検査結果から１ショット全体の検査結果を得るようにする。このようにすることにより、欠陥マップを得る対象のショット内に非検査エリアが生じないことを保証することができるようになる。
【００８７】
本発明の第２の実施形態では、マルチビーム型電子線式検査装置が提供される。当該検査装置では、照射手段が、複数の電子線を同時に前記基板に照射する機能を有し、検出器が、複数の電子線のそれぞれに対応して基板から発生する電子を分別して検出し、画像処理部が、検出器からの複数の信号を同時に処理するようにしている。マルチビーム型電子線式検査装置においても、１つのショットだけで１ショット全体の検査結果を取得するのではなく、複数のショットに亘って検査エリアを設定する（図１６参照）。また、１つのショットにおいての検査エリアは重なりが生じないように設定される。そして、複数のショットの検査エリアについて得られる検査結果をマージすることで、１ショット内の欠陥マップを得るようにする。ただし、マルチビーム型電子線式検査装置では、同時に照射される複数の電子線による走査範囲に重なりが生じてしまうことがある。これを回避しなければ、照射済の電子線によるコンタミネーションの発生を防止することができない。そこで、複数の電子線のそれぞれが互いに影響を受けないような距離を保って各電子線を照射して、複数の電子線によるそれぞれの走査範囲が重なりを持たないように設定されている。複数の電子線の照射位置は、１本の電子線を複数の電子線にするためのアパーチャアレイの構成によって調整することができる。例えば、電子線が３本の場合、アパーチャアレイにおいて電子線が通過する孔を結んで構成される三角形は正三角形であることが好ましい。また、複数の電子線の走査幅は、ユーザが任意に設定できることが好ましい。
【００８８】
本発明の第３の実施形態では、マルチビーム型電子線式検査装置において、複数のショット（第１のショット群）に亘って検査エリアを設定し、その検査エリアによって１つのショットの全領域をカバーするようにするとともに、別の複数のショット（第２のショット群）から、第１のショット群に設定された検査エリアと同一のエリアの画像が取得される。そして、第１のショット群からの画像と第２のショット群からの画像を加算して、検査結果を取得する。このようにすることにより、同一箇所を複数回走査することなく、同一箇所の画像を加算して取得画像のＳ／Ｎを向上させることが可能となり、欠陥評価をより正確にすることができるようになる。なお、この場合、加算対象の複数ショットから取得した複数の画像において、１つのショット内の同一位置の画像を加算するために、取得画像と設計データとの位置合わせが可能となっている。
【００８９】
本発明は、実施形態の機能を実現するソフトウェアのプログラムコードによっても実現できる。この場合、プログラムコードを記録した記憶媒体をシステム或は装置に提供し、そのシステム或は装置のコンピュータ（又はＣＰＵやＭＰＵ）が記憶媒体に格納されたプログラムコードを読み出す。この場合、記憶媒体から読み出されたプログラムコード自体が前述した実施形態の機能を実現することになり、そのプログラムコード自体、及びそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、光ディスク、光磁気ディスク、ＣＤ−Ｒ、磁気テープ、不揮発性のメモリカード、ＲＯＭなどが用いられる。
【００９０】
また、プログラムコードの指示に基づき、コンピュータ上で稼動しているＯＳ（オペレーティングシステム）などが実際の処理の一部又は全部を行い、その処理によって前述した実施の形態の機能が実現されるようにしてもよい。さらに、記憶媒体から読み出されたプログラムコードが、コンピュータ上のメモリに書きこまれた後、そのプログラムコードの指示に基づき、コンピュータのＣＰＵなどが実際の処理の一部又は全部を行い、その処理によって前述した実施の形態の機能が実現されるようにしてもよい。
【００９１】
さらに、実施の形態の機能を実現するソフトウェアのプログラムコードを、ネットワークを介して配信することにより、それをシステム又は装置のハードディスクやメモリ等の記憶手段又はＣＤ−ＲＷ、ＣＤ−Ｒ等の記憶媒体に格納し、使用時にそのシステム又は装置のコンピュータ（又はＣＰＵやＭＰＵ）が当該記憶手段や当該記憶媒体に格納されたプログラムコードを読み出して実行するようにしても良い。
【００９２】
最後に、ここで述べたプロセス及び技術は本質的に如何なる特定の装置に関連することはなく、コンポーネントの如何なる相応しい組み合わせによってでも実装できることを理解する必要がある。更に、汎用目的の多様なタイプのデバイスがここで記述した教授に従って使用可能である。ここで述べた方法のステップを実行するのに、専用の装置を構築するのが有益であることが判るかもしれない。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。本発明は、具体例に関連して記述したが、これらは、すべての観点に於いて限定の為ではなく説明の為である。本分野にスキルのある者には、本発明を実施するのに相応しいハードウェア、ソフトウェア、及びファームウエアの多数の組み合わせがあることが解るであろう。例えば、記述したソフトウェアは、アセンブラ、Ｃ／Ｃ＋＋、ｐｅｒｌ、Ｓｈｅｌｌ、ＰＨＰ、Ｊａｖａ（登録商標）等の広範囲のプログラム又はスクリプト言語で実装できる。
【００９３】
さらに、上述の実施形態において、制御線や情報線は説明上必要と考えられるものを示しており、製品上必ずしも全ての制御線や情報線を示しているとは限らない。全ての構成が相互に接続されていても良い。
【００９４】
加えて、本技術分野の通常の知識を有する者には、本発明のその他の実装がここに開示された本発明の明細書及び実施形態の考察から明らかになる。記述された実施形態の多様な態様及び／又はコンポーネントは、データを管理する機能を有するコンピュータ化ストレージシステムに於いて、単独又は如何なる組み合わせでも使用することが出来る。明細書と具体例は典型的なものに過ぎず、本発明の範囲と精神は後続する請求範囲で示される。
【符号の説明】
【００９５】
１・・・カラム、２・・・ＸＹステージ、３・・・電子銃、４・・・コンデンサレンズ、５・・・対物レンズ、６・・・ディフレクタ、７・・・２次電子検出器、８・・・ウエハ、９・・・照射電子、１０・・・２次電子、１１・・・ビーム走査コントローラ、１２・・・ステージコントローラ、１３・・・画像処理ユニット、１４・・・ＣＡＤデータサーバ、１５・・・制御ＰＣ、１６・・・アパーチャアレイ、１７・・・ＥｘＢフィルタ、１８・・・分割検出器、２１・・・照射電子、２２・・・ウエハ、２３乃至２５・・・矢印、２６・・・画像取得領域、２７・・・検査エリア、２８・・・領域、３１・・・ウエハ、３２・・・ショット、３３・・・ショット、３４ａ，３４ｂ，３４ｃ，３４ｄ，３４ｅ，３４ｆ，３４ｇ，３４ｈ，３５ａ，３５ｂ，３５ｃ，３５ｄ，３５ｅ，３５ｆ，３５ｇ，３５ｈ・・・スワス、
４１・・・ウエハ、４２・・・原点、４３・・・ショット、４４・・・ダイ、４５・・・ダイ原点、４６・・・欠陥、４７・・・結果ファイル、６１・・・ＧＵＩ、６２・・・マップ表示エリア、６３・・・画像表示エリア、６４ａ・・・ウエハマップ選択ボタン、６４ｂ・・・ショットマップ選択ボタン、６４ｃ・・・ダイマップ選択ボタン、６５ａ・・・ＣＡＤ選択ボタン、６５ｂ・・・光学顕微鏡画像選択ボタン、６５ｃ・・・ＳＥＭ画像選択ボタン、６６・・・表示倍率変更ボタン、６７・・・スライドバー、６８ａ・・・矢印ボタン、６８ｂ・・・ポイントボタン、６９・・・検査条件設定ボタン、７０・・・検査時間計算ボタン、７１・・・表示領域、７２ａ・・・スワス表示ボタン、７２ｂ・・・表示ショット変更ボタン、７２ｃ・・・表示エリア、７３・・・検査実行ボタン、７４・・・検査エリア、７４ａ・・・検査エリア左下コーナー、７４ｂ・・・検査エリア右上コーナー、７４ｃ・・・位置、７５ａ，７５ｂ・・・ショット、７６ａ，７６ｂ，７６ｃ，７６ｄ，７６ｅ，７６ｆ，７６ｇ，７６ｈ・・・スワス、７７・・・結果確認ボタン、８１・・・ＧＵＩ、８２・・・欠陥、８３・・・欠陥情報表示エリア、８４・・・欠陥情報、８５・・・スクロールバー、８６・・・画像表示エリア、８７ａ・・・欠陥画像、８７ｂ・・・参照画像、８７ｃ・・・差画像、８８・・・結果確認終了ボタン、９１・・・矢印、９２ａ，９２ｂ，９２ｃ・・・電子線、９３ａ，９３ｂ，９３ｃ・・・矢印、９４ａ，９４ｂ，９４ｃ・・・画像取得領域、９５ａ，９５ｂ，９５ｃ・・・検査エリア、１０１・・・ウエハ、１０２・・・ビーム照射エリア、１０３・・・近傍エリア、１０４・・・等電位線、１０５ａ，１０５ｂ・・・電子線、１１６ａ，１１６ｂ，１１６ｃ・・・ショット、１２１・・・検査条件設定ウインドウ、１２２ａ・・・画素サイズ、１２２ｂ・・・画像加算数、１２２ｃ・・・スワス分割数、１２２ｄ・・・ビーム本数、１２２ｅ・・・ビーム走査幅、１３１・・・ショット、１３２ａ，１３２ｂ，１３２ｃ，１３２ｄ，１３２ｅ，１３２ｆ，１３２ｇ，１３２ｈ，１３２ｉ，１３２ｊ，１３２ｋ，１３２ｌ・・・スワス、１３３ａ，１３３ｂ，１３３ｃ・・・検査エリア、１３４ａ，１３４ｂ，１３４ｃ，１３５ａ，１３５ｂ，１３５ｃ・・・検査エリア、１４１ａ，１４１ｂ，１４１ｃ・・・ショット、１４２ａ，１４２ｂ，１４２ｃ・・・ショット、１４３・・・ボタン、１４４・・・表示エリア、１５１・・・検査条件設定ウインドウ、１５２ａ・・・画素サイズ、１５２ｂ・・・画像加算数、１５２ｃ・・・画像加算ショット数、１５２ｄ・・・スワス分割数、１５２ｅ・・・ビーム本数、１５２ｆ・・・ビーム走査幅、１６１・・・ウエハ、１６２・・・検査エリア、１６３ａ，１６３ｂ，１６３ｃ・・・位置、１６４ａ，１６４ｂ，１６４ｃ・・・画像、１６５・・・テンプレート画像、１６６ａ，１６６ｂ，１６６ｃ・・・画像範囲、１６７ａ，１６７ｂ，１６７ｃ・・・位置補正画像、１６８・・・加算画像
【図１】
2013128069.tif 000003
【図２Ａ】
2013128069.tif 000004
【図２Ｂ】
2013128069.tif 000005
【図３】
2013128069.tif 000006
【図４】
2013128069.tif 000007
【図５】
2013128069.tif 000008
【図６】
2013128069.tif 000009
【図７Ａ】
2013128069.tif 000010
【図７Ｂ】
2013128069.tif 000011
【図７Ｃ】
2013128069.tif 000012
【図８】
2013128069.tif 000013
【図９】
2013128069.tif 000014
【図１０】
2013128069.tif 000015
【図１１】
2013128069.tif 000016
【図１２】
2013128069.tif 000017
【図１３】
2013128069.tif 000018
【図１４】
2013128069.tif 000019
【図１５】
2013128069.tif 000020
【図１６Ａ】
2013128069.tif 000021
【図１６Ｂ】
2013128069.tif 000022
【図１６Ｃ】
2013128069.tif 000023
【図１７】
2013128069.tif 000024
【図１８】
2013128069.tif 000025
【図１９】
2013128069.tif 000026